(57)【要約】【課題】本開示は、アンテナ・アレイ・システム内に配列されたアンテナ・ユニットにＣＳＩ−ＲＳポートをマップする通信方法、基地局、およびユーザ機器を実現する。【解決手段】本通信方法は、以下のステップを含む：アンテナ・ユニットの１グループを選択し、第１のＣＳＩ−ＲＳ送信期間または第１の周波数リソース領域においてＣＳＩ−ＲＳポートをマップするステップと、アンテナ・ユニットの別のグループを選択し、第２のＣＳＩ−ＲＳ送信期間または第２の周波数リソース領域においてＣＳＩ−ＲＳポートをマップするステップと、を含む。本開示による方法、基地局、およびユーザ機器によって、各アンテナ・ユニットは、ＣＳＩ−ＲＳ信号の送信のための比較的公正な機会を得るまたはＵＥ側で公正に良好なチャネル推定性能を得ることになる。【選択図】図１２
2018085756.tif 000002
【特許請求の範囲】
【請求項１】
それぞれが第１の数のCSI-RSポートを有する複数のCSI-RSリソースグループを組み合わせて同一の物理リソースブロック内にマッピングすることによって設定された、前記第１の数よりも多い数のCSI-RSポートに関する情報と、前記設定されたCSI-RSポートを用いて送信されたCSI-RSとを受信する受信部と、
前記情報に基づいて、前記CSI-RSを処理する処理部と、
を有する端末。
【請求項２】
前記第１の数は８であり、前記設定されたCSI-RSポートの数は１６である、
請求項１に記載の端末。
【請求項３】
前記CSI-RSポートは、アンテナ・アレイのアンテナ・ユニットに一対一で対応する、
請求項１又は２に記載の端末。
【請求項４】
前記複数のCSI-RSリソースグループの一つは、前記複数のCSI-RSリソースグループの他の一つと直交する、
請求項１から３のいずれかに記載の端末。
【請求項５】
前記複数のCSI-RSリソースグループの一つは、垂直方向のアンテナを反映し、前記複数のCSI-RSリソースグループの他の一つは、水平方向のアンテナを反映する、
請求項１から４のいずれかに記載の端末。
【請求項６】
前記受信部は、前記設定されたCSI-RSポートに関する情報を、RRCシグナリング又はDCIシグナリングによって受信する、
請求項１から５のいずれかに記載の端末。
【請求項７】
前記第１の数の第１CSI-RSポートが、第１のCSI-RS送信期間または第１の周波数リソース領域において配置される、アンテナ・ユニットの一つのグループと、前記第１の数の第２CSI-RSポートが、第２のCSI-RS送信期間または第２の周波数リソース領域において配置される、アンテナ・ユニットの他のグループが設定される、
請求項１から６のいずれかに記載の端末。
【請求項８】
前記第１CSI-RSポートは、第１のチャネル・ベクトルを反映し、前記第２CSI-RSポートは、前記第１のチャネル・ベクトルと直交または準直交する第２のチャネル・ベクトルを反映する、
請求項７に記載の端末。
【請求項９】
前記第１のチャネル・ベクトルを反映する前記第１CSI-RSポート、および／または、前記第２のチャネル・ベクトルを反映する前記第２CSI-RSポートが、周波数領域または時間領域で別個に分散される、
請求項８に記載の端末。
【請求項１０】
CSI-RS送信期間または周波数リソース領域において異なる、前記第１CSI-RSポート及び前記第２CSI-RSポートが配置される前記アンテナ・ユニットのグループが設定される、
請求項７から９のいずれかに記載の端末。
【請求項１１】
前記受信部は、前記設定されるアンテナ・ユニットのグループを、周期的にまたはランダムにシフトすることによって送信された前記CSI-RSを受信する、
請求項７から１０のいずれかに記載の端末。
【請求項１２】
前記受信部は、前記第１CSI-RSポート及び前記第２CSI-RSポートの前記アンテナ・ユニットのグループへの配置に関する情報を、RRCシグナリングまたはDCIシグナリングによって受信する、
請求項７から１１のいずれかに記載の端末。
【請求項１３】
前記情報は、前記第１CSI-RSポート及び前記第２CSI-RSポートの前記アンテナ・ユニットのグループへの配置を、座標又はクロスポイントインデックスによって示す、
請求項１２に記載の端末。
【請求項１４】
前記アンテナ・ユニットのグループは、周波数領域または時間領域で別個に分散される、
請求項７から１３のいずれに記載の端末。
【請求項１５】
それぞれが第１の数のCSI-RSポートを有する複数のCSI-RSリソースグループを組み合わせて同一の物理リソースブロック内にマッピングすることによって設定された、前記第１の数よりも多い数のCSI-RSポートに関する情報と、前記設定されたCSI-RSポートを用いて送信されたCSI-RSとを受信し、
前記情報に基づいて、前記CSI-RSを処理する、
通信方法。
【発明の詳細な説明】
【技術分野】
【０００１】
本開示は、ＬＴＥ（ロング・ターム・エボリューション）でのＦＤ−ＭＩＭＯ（full dimension multiple-input multiple-output）通信システムにおける端末および通信方法に関する。
【背景技術】
【０００２】
多重アンテナ技術の一種であるビーム形成は、カバレッジ能力を向上させるために、初期のロング・ターム・エボリューション（ＬＴＥ）規格リリースで既に採用されている。本技術に関して、人々は、これまで、主に方位角領域に注目していた。たとえば、ある種の重みベクトルを使用していかに水平ビームを形成するかが、研究されてきた。仰角領域では、ある種の動的ビームではなく固定されたダウンチルトが、現在のＬＴＥシステムではサポートされる。
【０００３】
仰角領域ビーム形成に対する要件が増大するにつれて、３Ｄビーム形成は、特にユーザが建物の異なる階に位置する都市部においてますます重要になると考えられる。従来の水平ビーム形成技術を使用しても、これらのユーザにはあまり十分に役立つことができず、したがって、仰角領域でも水平領域でもビーム形成を考慮する必要があり、これは実際には３Ｄビーム形成である。
【０００４】
図１は、通常の３Ｄビーム形成の一例を示す。図１に示すように、ｅＮＢ（基地局）１０１から送られる３Ｄビームが、建物１０２のある特定の階にいるユーザにサービスを提供している。そのビームはまた、動的に別の階のユーザにもサービスを提供することができる。したがって、３Ｄビーム形成は、垂直アンテナ・ユニット（または垂直ビーム形成）を使用してシステム性能をさらに向上させ、潜在的に他のセルへの干渉を低減することができる。３Ｄビーム形成を実現するためには、アクティブ・アンテナ・システム（ＡＡＳ）が基礎である。
【０００５】
図２は、３ＧＰＰ  ＴＲ３７．８４０におけるＡＡＳ（Active antenna system）無線アーキテクチャ概略を示す。図２に示すように、トランシーバ・ユニット・アレイ（ＴＵＡ）２０１は、トランシーバ・ユニット＃１、＃２、…＃Ｋとアンテナ・ポートの間の１対１のマッピングを想定する。無線配信ネットワーク（ＲＤＮ：Radio Distribution Network）２０２は、ＴＵＡ２０１とアンテナ・アレイ２０３の間のマッピングを提供することができる。ＡＡＳシステムを使用することによって、ネットワークは、ビームのすべての仰角（または下方傾斜）および方位角と、関連ビーム幅とを動的に調整することができる。
【０００６】
３ＧＰＰ  ＴＲ３７．８４０が示すように、最低結合損失のレベル、ｅＮＢ（基地局）アンテナの位置などに応じて、ワイド・エリアＡＡＳ（マクロＡＡＳ）、中距離ＡＡＳ（マイクロＡＡＳ）、およびローカル・エリア・カバレッジＡＡＳ（ピコＡＡＳ）など、異なるＡＡＳ設置シナリオが存在し得る。各ＡＡＳシナリオの範囲は、３Ｄビーム形成の恩恵を受けることができる。
【０００７】
３ＧＰＰリリース１２では、３Ｄビーム形成に関する潜在的に２つの検討事項が、論じられることになる。すなわち、１つは、仰角ビーム形成であり、もう１つはＦＤ−ＭＩＭＯである。前者は、最大８アンテナ・ポートを想定し、後者は｛１６，３２，６４｝またはさらに大きいアンテナ・ポートをサポートすることができる。アンテナ・ポートは、いくつかのアンテナ・ユニット（物理アンテナ）によって送信され得る論理信号の一種である。
【０００８】
図３は、８×８アンテナ・アレイ構造を有するＦＤ−ＭＩＭＯを示す。図３に示すように、潜在的に６４アンテナ・ユニットをサポートするＦＤ−ＭＩＭＯは、Full Dimensionでのチャネルを推定するために、６４ＣＳＩ−ＲＳポートを必要とし得る。８×８アンテナ・アレイ構造で、それぞれのアンテナ間隔は、０．５λでもよい。
【０００９】
図４は、ＬＴＥのリリース１１でのＰＲＢ（物理リソースブロック）ごとのＣＳＩ−ＲＳ領域を概略的に示す。図４に示すように、斜線「＼」で示される領域は、基地局からユーザ機器にＣＳＩ−ＲＳ信号を送信するためのＰＲＢ上のＣＳＩ−ＲＳポートである。６４ＣＳＩ−ＲＳポートがＦＤ−ＭＩＭＯのために必要とされることが真である場合、問題は、ＬＴＥの現在のリリース１１では、４０ＲＥ（リソース要素）のみが、ＰＲＢごとのＣＳＩ−ＲＳポートとして使用されるということである。したがって、どのようにして６４アンテナ・ユニットにＣＳＩ−ＲＳポートを割り当てるかが問題である。
【発明の概要】
【発明が解決しようとする課題】
【００１０】
本開示は、前述の態様を考慮して行われる。
【課題を解決するための手段】
【００１１】
本開示の一態様によれば、アンテナ・アレイ・システム内に配列されたアンテナ・ユニットにＣＳＩ−ＲＳポートをマップする通信方法であって、アンテナ・ユニットの１グループを選択し、第１のＣＳＩ−ＲＳ送信期間または第１の周波数リソース領域においてＣＳＩ−ＲＳポートをマップするステップと、アンテナ・ユニットの別のグループを選択し、第２のＣＳＩ−ＲＳ送信期間または第２の周波数リソース領域においてＣＳＩ−ＲＳポートをマップするステップを含む方法が提供される。本態様では、アンテナ・ユニットの複数のグループが、異なるＣＳＩ−ＲＳ送信期間にＣＳＩ−ＲＳポートをマップするために選択され得る。
【００１２】
前述の態様によれば、アンテナ・ユニットにマップするＣＳＩ−ＲＳポートの１部分が、第１のチャネル・ベクトルを反映し、アンテナ・ユニットにマップするＣＳＩ−ＲＳポートの別の部分が、第１のチャネル・ベクトルと直交または準直交する第２のチャネル・ベクトルを反映する。
【００１３】
前述の態様によれば、第１のチャネル・ベクトルを反映するＣＳＩ−ＲＳポートのその部分および／または第２のチャネル・ベクトルを反映するＣＳＩ−ＲＳポートの他方の部分は、周波数領域または時間領域でさらに別個に分散される。
【００１４】
本開示の別の態様によれば、アンテナ・アレイ・システム内に配列されたアンテナ・ユニットにＣＳＩ−ＲＳポートをマップする通信方法であって、アンテナ・ユニットの１グループを選択し、第１のＣＳＩ−ＲＳ送信期間または第１の周波数リソース領域においてＣＳＩ−ＲＳポートをマップするステップと、アンテナ・ユニットの別のグループを選択し、第２のＣＳＩ−ＲＳ送信期間または第２の周波数リソース領域においてＣＳＩ−ＲＳポートをマップするステップを含み、各グループ内のアンテナ・ユニットが周波数領域または時間領域で別個に分散される、方法が提供される。
【００１５】
本開示のさらなる態様によれば、アンテナ・アレイ・システム内に配列されたアンテナ・ユニットにＣＳＩ−ＲＳポートをマップする通信方法であって、アンテナ・ユニットの１グループを選択し、リソースブロックのＣＳＩ−ＲＳポートをマップするステップを含み、リソースブロックが、アンテナ・ユニットおよびＣＳＩ−ＲＳポートのマッピングのためのより平坦なある特定の領域チャネルで疎らに選択される、方法が提供される。
【００１６】
本開示のさらなる態様によれば、アンテナ・アレイ・システム内に配列されたアンテナ・ユニットにＣＳＩ−ＲＳポートをマップするための基地局であって、アンテナ・ユニットの１グループを選択し、第１のＣＳＩ−ＲＳ送信期間または第１の周波数リソース領域においてＣＳＩ−ＲＳポートをマップし、アンテナ・ユニットの別のグループを選択し、第２のＣＳＩ−ＲＳ送信期間または第２の周波数リソース領域においてＣＳＩ−ＲＳポートをマップするように構成されたマッピング・ユニットを備える基地局が提供される。本態様では、マッピング・ユニットは、アンテナ・ユニットの複数のグループを選択し、異なるＣＳＩ−ＲＳ送信期間にＣＳＩ−ＲＳポートをマップすることができる。
【００１７】
前述の態様によれば、アンテナ・ユニットにマップするＣＳＩ−ＲＳポートの１部分が第１のチャネル・ベクトルを反映し、アンテナ・ユニットにマップするＣＳＩ−ＲＳポートの別の部分が、第１のチャネル・ベクトルと直交または準直交する第２のチャネル・ベクトルを反映する。
【００１８】
前述の態様によれば、第１のチャネル・ベクトルを反映するＣＳＩ−ＲＳポートのその部分および／または第２のチャネル・ベクトルを反映するＣＳＩ−ＲＳポートの他方の部分は、周波数領域または時間領域でさらに別個に分散される。
【００１９】
本開示のさらなる態様によれば、アンテナ・アレイ・システム内に配列されたアンテナ・ユニットにＣＳＩ−ＲＳポートをマップする基地局であって、アンテナ・ユニットの１グループを選択し、第１のＣＳＩ−ＲＳ送信期間または第１の周波数リソース領域においてＣＳＩ−ＲＳポートをマップし、アンテナ・ユニットの別のグループを選択し、第２のＣＳＩ−ＲＳ送信期間または第２の周波数リソース領域においてＣＳＩ−ＲＳポートをマップするように構成されたマッピング・ユニットを備え、各グループ内のアンテナ・ユニットが周波数領域または時間領域で別個に分散される、基地局が提供される。
【００２０】
本開示のさらなる態様によれば、アンテナ・アレイ・システム内に配列されたアンテナ・ユニットにＣＳＩ−ＲＳポートをマップする基地局であって、アンテナ・ユニットの１グループを選択し、リソースブロックのＣＳＩ−ＲＳポートをマップするように構成されたマッピング・ユニットを備え、リソースブロックが、アンテナ・ユニットおよびＣＳＩ−ＲＳポートのマッピングのためのより平坦なある特定の領域チャネルで疎らに選択される、基地局が提供される。
【００２１】
本開示のさらなる態様によれば、アンテナ・アレイ内のアンテナ・ユニットの１グループが第１のＣＳＩ−ＲＳ送信期間または第１の周波数リソース領域においてＣＳＩ−ＲＳポートをマップすることおよびそのアンテナ・アレイ内のアンテナ・ユニットの別のグループが第２のＣＳＩ−ＲＳ送信期間または第２の周波数リソース領域においてＣＳＩ−ＲＳポートをマップすることを示すメッセージを基地局から受信するように構成された受信ユニットを備えるユーザ機器が提供される。本態様で、そのメッセージは、アンテナ・ユニットの複数のグループが異なるＣＳＩ−ＲＳ送信期間にＣＳＩ−ＲＳポートをマップすることをさらに示す。
【００２２】
前述の態様によれば、アンテナ・ユニットにマップするＣＳＩ−ＲＳポートの１部分が第１のチャネル・ベクトルを反映し、アンテナ・ユニットにマップするＣＳＩ−ＲＳポートの別の部分が、第１のチャネル・ベクトルと直交または準直交する第２のチャネル・ベクトルを反映する。
【００２３】
前述の態様によれば、第１のチャネル・ベクトルを反映するＣＳＩ−ＲＳポートのその部分および／または第２のチャネル・ベクトルを反映するＣＳＩ−ＲＳポートの他方の部分は、周波数領域または時間領域でさらに別個に分散される。
【００２４】
本開示のさらなる態様によれば、アンテナ・ユニットの１グループが第１のＣＳＩ−ＲＳ送信期間または第１の周波数リソース領域においてＣＳＩ−ＲＳポートをマップすることおよびアンテナ・ユニットの別のグループが第２のＣＳＩ−ＲＳ送信期間または第２の周波数リソース領域においてＣＳＩ−ＲＳポートをマップすることを示すメッセージを基地局から受信するように構成された受信ユニットを備え、各グループ内のアンテナ・ユニットが周波数領域または時間領域で別個に分散される、ユーザ機器が提供される。
【００２５】
本開示のさらなる態様によれば、アンテナ・ユニットの１グループがそのリソースブロックのＣＳＩ−ＲＳポートをマップすることを示すメッセージを基地局から受信するように構成された受信ユニットを備え、リソースブロックがアンテナ・ユニットおよびＣＳＩ−ＲＳポートのマッピングのためのより平坦なある特定の領域チャネルで疎らに選択される、ユーザ機器が提供される。
【００２６】
本開示の端末および通信方法は、各アンテナ・ユニットが、ＣＳＩ−ＲＳポート送信を実行するための比較的公正な機会を得ることになり、良好なチャネル推定性能を得ることになる、利点を実現することができる。
【００２７】
以下のような添付の図面とともに以下の本開示の実施例の詳細な説明で、本開示のこれらのおよび／または他の態様と利点が、より明確になり、理解がより容易になろう。
【図面の簡単な説明】
【００２８】
【図１】従来の３Ｄビーム形成の一例を示す図
【図２】３ＧＰＰ  ＴＲ３７．８４０での一般的ＡＡＳ無線アーキテクチャを示す図
【図３】８×８アンテナ・アレイ構造を有するＦＤ−ＭＩＭＯを示す図
【図４】ＬＴＥのリリース１１におけるＰＲＢごとのＣＳＩ−ＲＳ領域を概略的に示す図
【図５】直交チャネル・ベクトルを反映する２つのＣＳＩ−ＲＳリソースを示す図
【図６】送信アンテナ・ユニットおよびＣＳＩ−ＲＳポートの固定マッピングのシナリオを示す図
【図７】本開示の一実施例による基地局（ｅＮＢ）を概略的に示すブロック図
【図８Ａ】本開示の第１の実施例による時間領域におけるアンテナ・ユニット−ＣＳＩ−ＲＳポート・マッピング変動を示す図
【図８Ｂ】本開示の第１の実施例による周波数領域におけるアンテナ・ユニット−ＣＳＩ−ＲＳポート・マッピング変動を示す図
【図９】本開示の第２の実施例による可変アンテナ・ユニット−ＣＳＩ−ＲＳポート・マッピングを示す図
【図１０】本開示の第３の実施例による異なる直交チャネル・ベクトルを反映するＣＳＩ−ＲＳリソースの異なる割当てパターンを示す図
【図１１】本開示の一実施例によるユーザ機器（ＵＥ）を概略的に示すブロック図
【図１２】本開示の第１の実施例によるＣＳＩ−ＲＳポートをアンテナ・ユニットにマップする方法の流れ図
【図１３】本開示の第２の実施例によるＣＳＩ−ＲＳポートをアンテナ・ユニットにマップする方法の流れ図
【図１４】本開示の第３の実施例によるＣＳＩ−ＲＳポートをアンテナ・ユニットにマップする方法の流れ図
【発明を実施するための形態】
【００２９】
以下の詳細な説明では、本開示の一部を形成する添付の図面が参照される。図面において、同様の記号は、通常、別段文脈によって示されない限り、同様の構成要素を指す。本開示の態様は、多種多様な異なる構成で、配列、置換、結合、および設計することができ、それらのすべては明示的に企図され、本開示の一部を成すことが、容易に理解されよう。
【００３０】
本明細書では、マクロＡＡＳシナリオに主に焦点が置かれるが、前述の任意の他のシナリオもまた実現可能な事例になり得る。本明細書では、６４アンテナ・ユニットを有するＦＤ−ＭＩＭＯが一例として挙げられるが、本開示はまた、６４アンテナ・ユニットより小さいまたは大きいＦＤ−ＭＩＭＯ、または８アンテナ・ポートのみをサポートする仰角ビーム形成など、他の事例にも使用することができる。
【００３１】
図５は、直交チャネル・ベクトルを反映する２つのＣＳＩ−ＲＳリソースを示す。背景技術に記載された問題を解決するために、１つの直接的な方法は、ｅＮＢが２つの直交ＣＳＩ−ＲＳリソースグループ（各グループは８ＣＳＩ−ＲＳポートを有する）を送信して緊急のＣＳＩ−ＲＳリソースの必要性を緩和することである。たとえば、２つの直交ＣＳＩ−ＲＳリソースグループが送信され、そのうちの１つは水平領域チャネルを反映し、もう１つは垂直領域チャネルを反映する。ユーザは、全次元アンテナ・アレイの相関特性を使用することによって、２つの直交ＣＳＩ−ＲＳリソースグループを使用して８×８アンテナ・アレイ・チャネル全体を再構築することができる。これは、性能がいくらかの損失を受け得るが、ＣＳＩ−ＲＳポートの必要性を大いに削減することになる。
【００３２】
前述の直接的な方法は実行可能であり得るが、それは、３Ｄビーム形成性能に影響を及ぼし得るいくつかの問題を有する。１つの問題（課題−Ｉ）は、ＣＳＩ−ＲＳポートへの送信アンテナ・ユニットの固定マッピングに起因する不安定なチャネル推定性能である。
【００３３】
図６は、送信アンテナ・ユニットおよびＣＳＩ−ＲＳポートの固定マッピングのシナリオを示す。図６に示すように、行２および列３のアンテナ・ユニットがＣＳＩ−ＲＳ信号の送信のためのＣＳＩ−ＲＳポートへのマッピングに使用される場合、矢印１によって示され、行２および列３から離れたアンテナ・ユニットの行７および列７などのいくつかの領域は、望ましくないチャネル推定性能を有し得る。別法として、アンテナ・ユニットの行７および列６がＣＳＩ−ＲＳ信号の送信のためのＣＳＩ−ＲＳポートへのマッピングに使用される場合、矢印２によって示されるアンテナ・ユニットの行２および列２などのいくつかの領域は、何らかの望ましくないチャネル推定性能を有し得る。ＣＳＩ−ＲＳポートをマップするためにアンテナ・ユニットの比較的中間の領域を考える場合にも、端の領域は、望ましくないチャネル推定性能をやはり有し得る。しかし、その代わりに、ＣＳＩ−ＲＳポートをマップするためのアンテナ・ユニットに近い領域は、比較的良好なチャネル推定性能を有することになる。
【００３４】
前述の課題−Ｉに関して、本開示は、直接的な方法でチャネル推定の不安定性を平均化するために、ＣＳＩ−ＲＳポートへのアンテナ・ユニットの可変マッピングの解決法を提案する。本可変マッピングは、異なるアンテナ・ユニット（時間、周波数または混合領域で）の間のチャネル推定差を平均化することによって、従来の方法で引き起こされ得るチャネル推定性能低下を解消する。可変マッピング・パターンの一般的な例は、アンテナ・ユニットおよびＣＳＩ−ＲＳポートのマッピングを周期的にシフトすることである。マッピング・パターンに関して、通常の直交交差パターン以外に、物理シグナリング、ある一定の規則に基づくＭＡＣまたはＲＲＣ（無線リソース制御）シグナリング、によって構成することができる、他の部分的交差パターンまたは分散パターンもまた使用することができる。交差パターンのクロスポイントインデックスもまた、マッピング・パターンを示すための簡単な方法として使用することができる。
【００３５】
別の問題（課題−ＩＩ）は、ＣＳＩ−ＲＳリソースの大きいオーバヘッドである。前述のシナリオでも、１６ＣＳＩ−ＲＳポートがやはり必要とされる。ＣｏＭＰまたは他の参照信号が考慮される場合、ダウンリンク効率が大きな影響を受けることがあり、したがって、さらにＣＳＩ−ＲＳオーバヘッドを緩和するための何らかの方式を考える必要がある。
【００３６】
前述の課題−ＩＩに関して、本開示は、水平領域チャネルおよび垂直領域チャネルの起こり得る異なる特性を考慮することによって、ダウンリンク・オーバヘッドをさらに減らすために、各直交ＣＳＩ−ＲＳリソースについて異なる細分性を有するパターンを割り当てることを提案する。たとえば、１方向の領域チャネル（たとえば、垂直領域チャネル）がより平坦である場合、垂直領域チャネルを反映する比較的疎らなＣＳＩ−ＲＳリソースを何らかの形で送ることができる。
【００３７】
本開示が、図面とともに以下で説明される。
【００３８】
（第１の実施例）
本開示の第１の実施例は、アンテナ・ユニットおよびＣＳＩ−ＲＳポートの可変マッピングである。
【００３９】
図７は、本開示の一実施例による基地局（ｅＮＢ）７００を概略的に示すブロック図である。本実施例で、ｅＮＢ７００は、アンテナ・アレイ・システム内に配列されたアンテナ・ユニットにＣＳＩ−ＲＳポートをマップする機能を有する。ｅＮＢ７００は、アンテナ・ユニットの１グループを選択し、第１のＣＳＩ−ＲＳ送信期間または第１の周波数リソース領域においてＣＳＩ−ＲＳポートをマップし、アンテナ・ユニットの別のグループを選択し、第２のＣＳＩ−ＲＳ送信期間または第２の周波数リソース領域においてＣＳＩ−ＲＳポートをマップするように構成されたマッピング・ユニット７０１を備える。
【００４０】
図８Ａおよび図８Ｂは、本開示の第１の実施例による可変アンテナ・ユニット−ＣＳＩ−ＲＳポート・マッピングを示す。具体的には、図８Ａは、第１の実施例による時間領域におけるアンテナ・ユニット−ＣＳＩ−ＲＳポート・マッピング変動を示し、そして、図８Ｂは、第１の実施例による周波数領域におけるアンテナ・ユニット−ＣＳＩ−ＲＳポート・マッピング変動を示す。本実施例で、図３および図４に示すように、複数のアンテナ・ユニットが８×８アンテナ・アレイで配列され、ＣＳＩ−ＲＳポートの数は４０未満である。
【００４１】
具体的には、図８Ａに示すように、マッピング・ユニット７０１は、アンテナ・ユニットの１グループを選択し、第１のＣＳＩ−ＲＳ送信期間にある特定のＣＳＩ−ＲＳポートをマップする。たとえば、ＴＴＩ（送信時間間隔）＃Ｎでは、パターン「ａ」が使用され、行２および列３のアンテナ・ユニットが、ＣＳＩ−ＲＳポートをマップするために選択される。マッピング・ユニット７０１は、アンテナ・ユニットの別のグループを選択し、第２のＣＳＩ−ＲＳ送信期間にある特定のＣＳＩ−ＲＳポートをマップする。たとえば、ＴＴＩ＃（Ｎ＋Ｐ）では、パターン「ｂ」が使用され、行４および列４のアンテナ・ユニットが、ＣＳＩ−ＲＳポートをマップするために選択される。ここで、「Ｐ」はＣＳＩ−ＲＳ送信の期間、たとえば５ｍｓ、である。
【００４２】
別法として、図８Ｂに示すように、マッピング・ユニット７０１は、アンテナ・ユニットの１グループを選択し、第１の周波数リソース領域においてある特定のＣＳＩ−ＲＳポートをマップすることができる。たとえば、ＰＲＢ（物理リソースブロック）＃Ｍで、パターン「ａ」が使用され、行２および列３のアンテナ・ユニットが、ＣＳＩ−ＲＳポートをマップするために選択される。マッピング・ユニット７０１は、アンテナ・ユニットの別のグループを選択し、第２の周波数リソース領域でＣＳＩ−ＲＳポートをマップすることができる。たとえば、ＰＲＢ＃Ｑで、パターン「ｂ」が使用され、行４および列４のアンテナ・ユニットが、ＣＳＩ−ＲＳポートをマップするために選択される。
【００４３】
本実施例で、マッピング・ユニット７０１は、アンテナ・ユニットの複数のグループを選択し、異なるＣＳＩ−ＲＳ送信期間または異なる周波数リソース領域においてＣＳＩ−ＲＳポートをマップすることができる。たとえば、さらなるパターン「ｃ」が、図８Ａに示すＴＴＩ＃（Ｎ＋２Ｐ）または図８Ｂに示すＰＲＢ＃Ｒで使用され、アンテナ・ユニットの行６および列５が、ＣＳＩ−ＲＳポートをマップするために選択される。ここで、ＰＲＢｓ＃Ｍ、＃Ｑ、＃Ｒは、通信システムの周波数領域において分散されたそれぞれのリソースブロックである。
【００４４】
本実施例で、アンテナ・ユニットにマップするＣＳＩ−ＲＳポートの１部分が第１のチャネル・ベクトルを反映し、アンテナ・ユニットにマップするＣＳＩ−ＲＳポートの別の部分が、第１のチャネル・ベクトルと直交または準直交する第２のチャネル・ベクトルを反映する。たとえば、図８に示すように、行２、４、６内のアンテナ・ユニットとマップするＣＳＩ−ＲＳポートは、水平チャネル・ベクトルを反映し、そして、列３、４、５内のアンテナ・ユニットとマップするＣＳＩ−ＲＳポートは、垂直チャネル・ベクトルを反映する。
【００４５】
本実施例で、ｅＮＢ７００は、ＣＳＩ−ＲＳポートへのマッピングのために選択されたアンテナ・ユニットのグループを周期的にシフトすることによってＣＳＩ−ＲＳ信号を送信するように構成された送信ユニット７０２をさらに備え得る。たとえば、次の期間に、パターンａ−＞ｂ−＞ｃが、再び適用されることになる。これは、アンテナ・ユニットおよびＣＳＩ−ＲＳポートのマッピング・パターンの周期的シフトの単純な一例である。
【００４６】
パターン変動は、周期的にシフトすることができるだけではなく、ランダム化公式などの何らかの規則に基づくことができる。すなわち、送信ユニット７０２は、ＣＳＩ−ＲＳポートをマップするために選択されたアンテナ・ユニットのグループをランダムにシフトすることによって、ＣＳＩ−ＲＳ信号を送信することができる。ランダム化シードは、サブフレーム・インデックスに依存し得る。別の実施例によれば、パターン変動は、ｅＮＢ側およびＵＥ側の両方で予め定義された候補集合に基づき得る。
【００４７】
ＣＳＩ−ＲＳポートおよびアンテナ・ユニットのマッピングおよび関連変動モードの指示は、ＵＥ特有のまたはセル特有の方式に関してＲＲＣシグナリングによって準静的に構成され得る。本実施例で、送信ユニット７０２は、ＵＥへのＲＲＣシグナリングまたはＤＣＩシグナリングによって構成されたＣＳＩ−ＲＳポートおよびアンテナ・ユニットのマッピングを示すメッセージ（情報）を送信することができる。以下は、ＲＲＣシグナリングによるそのような指示の一例である：
CSI-RS_antenna-unit_mapping-r12  {
Mode:0: full CSI-RS is transmitted 1: two orthogonal CSI-RS resources are transmitted
If (1),
{
CSI-RS ports number (for example 16);
Mapping pattern variation mode: 0: randomly changed 1: cyclic shift; 2:dynamic indication in L1 among four candidates 3:never changed;
If (0), random seed is based on subframe index;
If (1), cyclic shifted pattern;
If (2), four candidates set;
If (3), special pattern;
}
}
【００４８】
前述のメッセージは、３ＧＰＰ３６．３３１仕様書内のＣＳＩ−ＲＳ−ＣｏｎｆｉｇＮＺＰ−ｒ１１の拡張としてよい。本実施例では、Ｌ１ベースの方法で、指示の送信は、共通のサーチ・スペースまたはＵＥ特有のサーチ・スペースのいずれかでＤＣＩ（ダウンリンク制御情報）内のいくつかのフィールド（たとえば、ＣＩＦ、ＲＡ）を再利用する。
【００４９】
２つの直交ＣＳＩ−ＲＳリソースが想定される場合、２Ｄアンテナ・アレイ内のＣＳＩ−ＲＳポートをマップするアンテナ・ユニットの特定の場所をどのようにして示すかには、２つのオプションがあり得る。１つのオプションは、座標を直接使用する方式である。すなわち、ＣＳＩ−ＲＳポートおよびアンテナ・ユニットのマッピングの指示が、座標によって表され得る。たとえば、本実施例で、座標｛４，４｝は、２Ｄアンテナ・アレイ内の行４および列４のアンテナ・ユニットが、図８Ａおよび図８Ｂに示すように、ＣＳＩ−ＲＳポートをマップするために使用されることを示す。同様に、座標（２，３）は、２Ｄアンテナ・アレイ内の行２および列３のアンテナ・ユニットが、ＣＳＩ−ＲＳポートをマップするために使用されることを示し、そして、座標（６，５）は、２Ｄアンテナ・アレイ内の行６および列５のアンテナ・ユニットが、ＣＳＩ−ＲＳポートをマップするために使用されることを示す。
【００５０】
別のオプションは、クロスポイントインデックスを使用することである。すなわち、本開示の別の実施例によれば、ＣＳＩ−ＲＳポートおよびアンテナ・ユニットのマッピングの指示は、クロスポイントインデックスによって表すことができる。たとえば、クロスポイントインデックス「１１」は、図８Ａおよび図８Ｂに示すように、２Ｄアンテナ・アレイ内の行２および列３のアンテナ・ユニットがＣＳＩ−ＲＳポートをマップするために使用されることを示すために使用される。同様に、クロスポイントインデックス「２８」は、２Ｄアンテナ・アレイ内の行４および列４のアンテナ・ユニットがＣＳＩ−ＲＳポートをマップするために使用されることを示し、そして、クロスポイントインデックス「４５」は、２Ｄアンテナ・アレイ内の行６および列５のアンテナ・ユニットがＣＳＩ−ＲＳポートをマップするために使用されることを示す。
【００５１】
たとえばＬ１ベースの方法でアンテナ・ユニットの特定の場所の指示オーバヘッドをさらに減らすために、１１または２８の絶対値が４または５ビットを必要とすることを考慮し、より少数のビットもまた、そのような指示のために可能である。たとえば、４つのパターン（パターン変動セット）がＲＲＣシグナリングによって示され、そこでは、Ｌ１シグナリングにおいて４ビットまたは５ビットではなくて２ビットが、ＣＳＩ−ＲＳポートおよびアンテナ・ユニットのマッピングのパターンを示すために使用される。
【００５２】
本開示によるｅＮＢ７００はさらに、関連プログラムを実行して様々なデータを処理し、ｅＮＢ７００内のそれぞれのユニットの動作を制御するためのＣＰＵ（中央処理装置）７１０、ＣＰＵ７１０による様々な処理および制御を実行するために必要とされる様々なプログラムを記憶するためのＲＯＭ（読取り専用メモリ）７１３、ＣＰＵ７１０による処理および制御の手続きで一時的に作り出された中間データを記憶するためのＲＡＭ（ランダム・アクセス・メモリ）７１５、および／または、様々なプログラム、データなどを記憶するための記憶装置７１７を含み得る。前述のマッピング・ユニット７０１、送信ユニット７０２、ＣＰＵ７１０、ＲＯＭ７１３、ＲＡＭ７１５および／または記憶装置７１７などは、データおよび／またはコマンド・バス７２０を介して相互接続することができ、次から次に信号を転送することができる。
【００５３】
前述のそれぞれのユニットは、本開示の範囲を限定しない。本開示の一実施例によれば、マッピング・ユニット７０１および送信ユニット７０２の機能はまた、１つのユニットによって実装することができ、そして、マッピング・ユニット７０１および送信ユニット７０２のいずれかまたはその組合せの機能はまた、ＣＰＵ７１０、ＲＯＭ７１３、ＲＡＭ７１５および／または記憶装置７１７などと組み合わせて、機能ソフトウェアによって、実装され得る。
【００５４】
本開示の第１の実施例で、各アンテナ・ユニットは、ＣＳＩ−ＲＳ信号を送信するための比較的公正な機会を得る、または公正に良好なチャネル推定性能を得ることになる。
【００５５】
（第２の実施例）
第２の実施例は、適用されたＣＳＩ−ＲＳポート−アンテナ・ユニットマッピング・パターンが、常に１列および１行ではなくて、より分散され得るというものである。
【００５６】
図９は、本開示の第２の実施例による可変アンテナ・ユニット−ＣＳＩ−ＲＳポート・マッピングを示す。
【００５７】
本開示の第２の実施例によれば、マッピング・ユニット７０１（図７に示す）は、アンテナ・ユニットの１グループを選択し、第１のＣＳＩ−ＲＳ送信期間または第１の周波数リソース領域においてＣＳＩ−ＲＳポートをマップし、アンテナ・ユニットの別のグループを選択し、第２のＣＳＩ−ＲＳ送信期間または第２の周波数リソース領域においてＣＳＩ−ＲＳポートをマップすることができ、各グループ内のアンテナ・ユニットは、周波数領域または時間領域でより別個に分散され得る。
【００５８】
具体的には、本開示の第２の実施例で、アンテナ・ユニットにマップするＣＳＩ−ＲＳポートの１部分は第１のチャネル・ベクトルを反映することができ、アンテナ・ユニットにマップするＣＳＩ−ＲＳポートの別の部分は、第１のチャネル・ベクトルと直交または準直交する第２のチャネル・ベクトルを反映することができる。本実施例で、第１のチャネル・ベクトルは、たとえば、垂直チャネル・ベクトルでもよく、そして、第２のチャネル・ベクトルは、たとえば、水平チャネル・ベクトルでもよい。さらに、本開示の第２の実施例によれば、第１のチャネル・ベクトル（たとえば、垂直チャネル・ベクトル）を反映するＣＳＩ−ＲＳポートのその部分は、周波数領域または時間領域でさらに別個に分散される、および／または、第２のチャネル・ベクトル（たとえば、水平チャネル・ベクトル）を反映するＣＳＩ−ＲＳポートの他方の部分は、周波数領域または時間領域でさらに別個に分散される。
【００５９】
たとえば、図９に示すように、垂直チャネル・ベクトルを反映するＣＳＩ−ＲＳポート９０１は２つの部分に分けられ、そして、水平チャネル・ベクトルを反映するＣＳＩ−ＲＳポート９０２は２つの部分に分けられる。ここで、その２つの部分は、３つ以上の部分でもよく、本開示の範囲を限定せず、あるいは、ＣＳＩ−ＲＳポートをより別個に分散させる他の方式が適用され得る。本方式は、アンテナ・ユニットをより分散させ、アンテナ・ユニット間のチャネル推定差を解消するのに潜在的に役立ち得る。
【００６０】
第１の実施例と同様に、マッピング・ユニット７０１はまた、アンテナ・ユニットの複数のグループを選択し、異なるＣＳＩ−ＲＳ送信期間または異なる周波数リソース領域においてＣＳＩ−ＲＳポートをマップすることができる。送信ユニット７０２は、ＣＳＩ−ＲＳポートへのマッピングのために選択されたアンテナ・ユニットのグループを周期的にシフトすることによってＣＳＩ−ＲＳ信号を送信すること、またはＣＳＩ−ＲＳポートをマップするために選択されたアンテナ・ユニットのグループをランダムにシフトすることによって、ＣＳＩ−ＲＳ信号を送信することができる。送信ユニット７０２は、ＵＥに、ＲＲＣシグナリングまたはＤＣＩシグナリングによって構成された、ＣＳＩ−ＲＳポートおよびアンテナ・ユニットのマッピングを示すメッセージまたは情報を送信することができる。ＣＳＩ−ＲＳポートおよびアンテナ・ユニットのマッピングの指示に関するメッセージまたは情報は、共通のサーチ・スペースまたはＵＥ特有のサーチ・スペースのいずれかのＤＣＩシグナリングのいくつかのフィールドを再利用することができる。
【００６１】
ＣＳＩ−ＲＳポートをマップするためのアンテナ・ユニットの特定の場所の指示もまた、座標によって表すことができる。しかし、本開示の第２の実施例では、どのアンテナ・ユニットがＣＳＩ−ＲＳポートをマップするために選択されるかを示すために、より多くのビットが必要とされるため、その指示は、より複雑である。図９に示すように、たとえば、座標｛６，０，２，１；３，０，６，１｝が、そのような指示のために使用可能であり、「６，０，２，１」は、行６の前半（０）および行２の後半（１）を示し、「３，０，６，１」は、列３の前半（０）および列６の後半（１）を示す。
【００６２】
本開示の前述の第２の実施例で、各アンテナ・ユニットは、ＣＳＩ−ＲＳ信号を送信するための比較的公正な機会を得るまたは適正に良好なチャネル推定性能を得ることになる。
【００６３】
（第３の実施例）
本開示の第３の実施例は、２つの直交ＣＳＩ−ＲＳリソースのための分化された割当てパターンが使用されるものである。
【００６４】
図１０は、本開示の第３の実施例による異なる直交チャネル・ベクトルを反映するＣＳＩ−ＲＳリソースの異なる割当てパターンを示す。
【００６５】
図１０で、周波数領域に配列された複数の物理リソースブロック（ＰＲＢ）が示され、水平チャネル・ベクトルおよび垂直チャネル・ベクトルを反映する２つの直交ＣＳＩ−ＲＳリソースもまた示される。図１０（ａ）に示すように、斜線「／」によって示される水平チャネル・ベクトルを反映するＣＳＩ−ＲＳリソース１〜７のグループと、斜線「＼」によって示される垂直チャネル・ベクトルを反映するＣＳＩ−ＲＳリソース１〜７の別のグループが、一様に使用される。
【００６６】
しかし、いくつかのシナリオで、垂直領域チャネルは、水平領域チャネルよりも平坦でもよい。これに関して、本開示の第３の実施例によれば、ｅＮＢ７００（図７に示す）のマッピング・ユニット７０１は、アンテナ・ユニットの１グループを選択し、リソースブロックのいくつかのＣＳＩ−ＲＳポートをマップすることができ、そのリソースブロックは、アンテナ・ユニットおよびＣＳＩ−ＲＳポートのマッピングのためのより平坦なある特定の領域チャネルで疎らに選択される。具体的には、図１０（ｂ）に示すように、高密度のＣＳＩ−ＳＲリソースブロック１〜７が水平領域チャネルのために使用され、比較的疎らなＣＳＩ−ＲＳリソースブロック１、３、５、７が垂直領域チャネルのために使用される。すなわち、垂直領域チャネルがより平坦である場合、マッピング・ユニット７０１は、垂直領域チャネルの周波数領域で間隔を置いてリソースブロックを選択することができる。
【００６７】
しかし、他方で、水平領域チャネルがより平坦である場合、水平領域チャネルを反映するリソースブロックの比較的疎らな配信が、図１０（ｃ）に示すように、使用され得る。
【００６８】
本開示の第３の実施例で、アンテナ・ユニットおよびＣＳＩ−ＲＳポートのマッピングのための各リソースブロックの選択は、たとえば以下のメッセージで、ＲＲＣシグナリングを介してｅＮＢ７００からＵＥに通知される：
{
1st/horizontalCSI-RSresourcedistributionbitmap;
2nd/verticalCSI-RSresourcedistributionbitmap;
}
【００６９】
本開示の第３の実施例は、前述の第１の実施例または第２の実施例と組み合わせて、またはそれに基づいて、使用することができる。
【００７０】
本開示の前述の第３の実施例で、各アンテナ・ユニットは、ＣＳＩ−ＲＳ信号の送信のための比較的公正な機会を得るまたは公正に良好なチャネル推定性能を得ることになる。
【００７１】
図１１は、本開示の一実施例による端末（ＵＥ）を示すブロック図である。図１１に示すように、ＵＥ１１００は、ｅＮＢ７００からメッセージを受信するように構成された受信ユニット１１０１を備え、そのメッセージは、アンテナ・アレイ内のアンテナ・ユニットの１グループが第１のＣＳＩ−ＲＳ送信期間または第１の周波数リソース領域においてＣＳＩ−ＲＳポートをマップすること、およびそのアンテナ・アレイ内のアンテナ・ユニットの別のグループが第２のＣＳＩ−ＲＳ送信期間または第２の周波数リソース領域においてＣＳＩ−ＲＳポートをマップすることを示す。
【００７２】
本実施例では、アンテナ・ユニットにマップするＣＳＩ−ＲＳポートの１部分が第１のチャネル・ベクトルを反映し、アンテナ・ユニットにマップするＣＳＩ−ＲＳポートの別の部分が、第１のチャネル・ベクトルと直交または準直交する第２のチャネル・ベクトルを反映する。具体的には、本実施例で、行でアンテナ・ユニットにマップするＣＳＩ−ＲＳポートは水平チャネル・ベクトルを反映し、列でアンテナ・ユニットにマップするＣＳＩ−ＲＳポートは垂直チャネル・ベクトルを反映する。
【００７３】
本実施例で、第１のチャネル・ベクトルを反映するＣＳＩ−ＲＳポートの部分は、周波数領域または時間領域でさらに別個に分散される、および／または、第２のチャネル・ベクトルを反映するＣＳＩ−ＲＳポートの他方の部分は、周波数領域または時間領域でさらに別個に分散される。
【００７４】
本実施例で、メッセージはさらに、アンテナ・ユニットの複数のグループが異なるＣＳＩ−ＲＳ送信期間または異なる周波数リソース領域においてＣＳＩ−ＲＳポートをマップすることと、アンテナ・ユニットおよびＣＳＩ−ＲＳポートの複数のグループマッピングが、第１の実施例で説明されたように、周期的にまたはランダムにシフトされることとを示す。
【００７５】
本実施例で、ｅＮＢ７００から受信されるＣＳＩ−ＲＳポートおよびアンテナ・ユニットのマッピングを示すメッセージは、ＲＲＣシグナリングおよび／またはＤＣＩシグナリングによって構成され、そのメッセージは、共通のサーチ・スペースまたはＵＥ特有のサーチ・スペースのいずれかのＤＣＩシグナリングのいくつかのフィールドを再利用することができる。
【００７６】
本実施例で、ＣＳＩ−ＲＳポートおよびアンテナ・ユニットのマッピングの指示は、座標またはクロスポイントインデックスによって表される。
【００７７】
本開示の別の実施例で、受信ユニット１１０１は、ｅＮＢ７００からメッセージを受信するように構成され、そのメッセージは、アンテナ・ユニットの１グループが第１のＣＳＩ−ＲＳ送信期間または第１の周波数リソース領域においてＣＳＩ−ＲＳポートをマップすること、およびアンテナ・ユニットの別のグループが第２のＣＳＩ−ＲＳ送信期間または第２の周波数リソース領域においてＣＳＩ−ＲＳポートをマップすることを示し、各グループ内のアンテナ・ユニットは、周波数領域または時間領域で別個に分散される。
【００７８】
本開示のさらなる実施例で、受信ユニット１１０１は、ｅＮＢ７００からメッセージを受信するように構成され、そのメッセージは、アンテナ・ユニットの１グループがリソースブロックのいくつかのＣＳＩ−ＲＳポートをマップすることを示し、そのリソースブロックは、アンテナ・ユニットおよびＣＳＩ−ＲＳポートのマッピングのためのより平坦なある特定の領域チャネルで疎らに選択される。
【００７９】
本開示のさらなる実施例で、リソースブロックは、周波数領域で間隔を置いて選択される。
【００８０】
加えて、本開示によるＵＥ１１００はさらに、関連プログラムを実行して様々なデータを処理し、ＵＥ１１００内のそれぞれのユニットの動作を制御するためのＣＰＵ（中央処理装置）１１１０、ＣＰＵ１１１０による様々な処理および制御を実行するために必要とされる様々なプログラムを記憶するためのＲＯＭ（読取り専用メモリ）１１１３、ＣＰＵ１１１０による処理および制御の手順で一時的に作り出される中間データを記憶するためのＲＡＭ（ランダム・アクセス・メモリ）１１１５、および／または、様々なプログラム、データなどを記憶するための記憶装置１１１７を含み得る。前述の受信ユニット１１０１、ＣＰＵ１１１０、ＲＯＭ１１１３、ＲＡＭ１１１５および／または記憶装置１１１７などは、データおよび／またはコマンド・バス１１２０を介して相互接続され、次から次に信号を転送することができる。
【００８１】
前述のようなそれぞれのユニットは、本開示の範囲を限定しない。本開示の一実施例によれば、前述の受信ユニット１１０１のいずれかまたは組合せの機能はまた、前述のＣＰＵ１１１０、ＲＯＭ１１１３、ＲＡＭ１１１５および／または記憶装置１１１７などと組み合わせて機能ソフトウェアによって実装され得る。
【００８２】
本開示の前述の実施例で、各アンテナ・ユニットは、ＣＳＩ−ＲＳ信号の送信のための比較的公正な機会を得るまたは公正に良好なチャネル推定性能を得ることになる。
【００８３】
図１２は、本実施例の第３の実施例によるＣＳＩ−ＲＳポートへのアンテナ・ユニットのマッピングの方法の流れ図である。
【００８４】
図１２に示すように、本方法は、ステップＳ１２０１で開始する。ステップＳ１２０１で、アンテナ・アレイ内のアンテナ・ユニットの１グループが、第１のＣＳＩ−ＲＳ送信期間または第１の周波数リソース領域においてＣＳＩ−ＲＳポートをマップするために選択される。ステップＳ１２０２で、そのアンテナ・アレイ内のアンテナ・ユニットの別のグループが、第２のＣＳＩ−ＲＳ送信期間または第２の周波数リソース領域においてＣＳＩ−ＲＳポートをマップするために選択される。本実施例で、ステップＳ１２０１およびＳ１２０２は、本開示のｅＮＢ７００のマッピング・ユニット７０１によって実行することができる。
【００８５】
本実施例で、アンテナ・ユニットにマップするＣＳＩ−ＲＳポートの１部分は第１のチャネル・ベクトルを反映し、アンテナ・ユニットにマップするＣＳＩ−ＲＳポートの別の部分は、第１のチャネル・ベクトルと直交または準直交する第２のチャネル・ベクトルを反映する。
【００８６】
本実施例で、第１のチャネル・ベクトルを反映するＣＳＩ−ＲＳポートの部分は、周波数領域または時間領域でさらに別個に分散される、および／または、第２のチャネル・ベクトルを反映するＣＳＩ−ＲＳポートの他方の部分は、周波数領域または時間領域でさらに別個に分散される。
【００８７】
本実施例では、アンテナ・ユニットの複数のグループが、異なるＣＳＩ−ＲＳ送信期間または異なる周波数リソース領域においてＣＳＩ−ＲＳポートをマップするために選択される。
【００８８】
本実施例で、本方法はさらに、選択されるグループのアンテナ・ユニットを周期的にまたはランダムにシフトすることによってＣＳＩ−ＲＳ信号を送信するステップを含む。前述のステップは、本開示のｅＮＢ７００の送信ユニット７０２によって実行することができる。
【００８９】
本実施例で、本方法はさらに、ＲＲＣシグナリングまたはＤＣＩシグナリングによってＣＳＩ−ＲＳポートおよびアンテナ・ユニットのマッピングを示すメッセージを構成するステップを含む。前述のステップは、本開示のｅＮＢ７００のマッピング・ユニット７０１によって実行することができる。本実施例で、前述のメッセージは、共通のサーチ・スペースまたはＵＥ特有のサーチ・スペースのいずれかのＤＣＩシグナリングのいくつかのフィールドを再利用する。ＣＳＩ−ＲＳポートおよびアンテナ・ユニットのマッピングの指示は、座標またはクロスポイントインデックスによって表される。複数のアンテナ・ユニットが８×８アンテナ・アレイで配列可能であり、ＣＳＩ−ＲＳポートの数は４０未満でもよい。
【００９０】
図１３は、本実施例の第２の実施例によるＣＳＩ−ＲＳポートへのアンテナ・ユニットのマッピングの方法の流れ図である。
【００９１】
図１３に示すように、ステップＳ１３０１で、アンテナ・ユニットの１グループが第１のＣＳＩ−ＲＳ送信期間または第１の周波数リソース領域においてＣＳＩ−ＲＳポートをマップされ、そして、アンテナ・ユニットの別のグループが第２のＣＳＩ−ＲＳ送信期間または第２の周波数リソース領域においてＣＳＩ−ＲＳポートをマップされ、そこでは、各グループ内のアンテナ・ユニットは周波数領域または時間領域で別個に分散される。本実施例で、ステップＳ１３０１は、本開示のｅＮＢ７００のマッピング・ユニット７０１によって実行することができる。
【００９２】
本実施例で、アンテナ・ユニットにマップするＣＳＩ−ＲＳポートの１部分は第１のチャネル・ベクトルを反映し、アンテナ・ユニットにマップするＣＳＩ−ＲＳポートの別の部分は、第１のチャネル・ベクトルと直交または準直交する第２のチャネル・ベクトルを反映する。
【００９３】
本実施例で、第１のチャネル・ベクトルを反映するＣＳＩ−ＲＳポートの部分は、周波数領域または時間領域でさらに別個に分散される、および／または、第２のチャネル・ベクトルを反映するＣＳＩ−ＲＳポートの他方の部分は、周波数領域または時間領域でさらに別個に分散される。
【００９４】
本実施例で、アンテナ・ユニットの複数のグループが、異なるＣＳＩ−ＲＳ送信期間または異なる周波数リソース領域においてＣＳＩ−ＲＳポートをマップするために選択される。
【００９５】
本実施例で、本方法はさらに、選択されるグループのアンテナ・ユニットを周期的にまたはランダムにシフトすることによってＣＳＩ−ＲＳ信号を送信するステップを含む。前述のステップは、本開示のｅＮＢ７００の送信ユニット７０２によって実行することができる。
【００９６】
本実施例で、本方法はさらに、ＲＲＣシグナリングまたはＤＣＩシグナリングによってＣＳＩ−ＲＳポートおよびアンテナ・ユニットのマッピングを示すメッセージを構成するステップを含む。前述のステップは、本開示のｅＮＢ７００のマッピング・ユニット７０１によって実行することができる。本実施例で、前述のメッセージは、共通のサーチ・スペースまたはＵＥ特有のサーチ・スペースのいずれかのＤＣＩシグナリングのいくつかのフィールドを再利用する。
【００９７】
図１４は、本実施例の第３の実施例によるＣＳＩ−ＲＳポートへのアンテナ・ユニットのマッピングの方法の流れ図である。
【００９８】
図１４に示すように、ステップＳ１４０１で、アンテナ・ユニットのグループが、リソースブロックのいくつかのＣＳＩ−ＲＳポートをマップするために選択され、そこで、リソースブロックは、アンテナ・ユニットおよびＣＳＩ−ＲＳポートのマッピングのためのより平坦なある特定の領域チャネルで疎らに選択される。本実施例で、ステップＳ１４０１は、本開示のｅＮＢ７００のマッピング・ユニット７０１によって実行することができる。
【００９９】
本実施例で、リソースブロックは、周波数領域で間隔を置いて選択される。
【０１００】
本開示の前述の実施例は、単に例示的説明であり、それらの特定の構造および動作は本開示の範囲を限定しない。当業者は、前述のそれぞれの実施例の異なる部分および動作を再結合して、本開示の概念と同等に一致する新たな実装形態を生み出すことができる。
【０１０１】
本開示の実施例は、ハードウェア、ソフトウェア、およびファームウェア、またはそれらの組合せによって実装することができ、実装の方法は本開示の範囲を限定しない。
【０１０２】
本開示の実施例におけるそれぞれの機能要素（ユニット）間の接続関係は、本開示の範囲を限定せず、１つまたは複数の機能要素またはユニットは、任意の他の機能要素を含むまたはそれと接続することができる。
【０１０３】
本開示のいくつかの実施例が、前述の添付の図面とともに示され、説明されたが、本開示の特許請求の範囲およびその同等物にやはり該当する変更および修正が、本開示の原理および趣旨を逸脱することなしに、これらの実施例に行われ得ることが、当業者には理解されよう。
【図１】
2018085756.tif 000003
【図２】
2018085756.tif 000004
【図３】
2018085756.tif 000005
【図４】
2018085756.tif 000006
【図５】
2018085756.tif 000007
【図６】
2018085756.tif 000008
【図７】
2018085756.tif 000009
【図８Ａ】
2018085756.tif 000010
【図８Ｂ】
2018085756.tif 000011
【図９】
2018085756.tif 000012
【図１０】
2018085756.tif 000013
【図１１】
2018085756.tif 000014
【図１２】
2018085756.tif 000015
【図１３】
2018085756.tif 000016
【図１４】
2018085756.tif 000017